(57)【要約】【課題】  棚板の大きさが固定されず、自由度の高い組み立てができる組み立て棚の提供。【解決手段】  複数の棚板３と、棚板３と直交するよう配設される複数の側板２と、側板２の縁端を嵌入させる側板嵌入溝４１が上下、棚板の縁端を嵌入させる棚板嵌入溝４２が左右に、それぞれ設けられて棚板３と側板２とを連結する複数の連結部材４と、を備えて成り、側板２を左右方向に可変することができ、更に、棚板３も上下方向に可変することができ、側板２及び棚板３の大きさが固定されず、自由な組み立てができるものである。【選択図】図１
2006115923.tif 000002
【特許請求の範囲】
【請求項１】
複数の棚板と、同棚板と直交するよう配設される複数の側板と、前記側板の縁端を嵌入させる側板嵌入溝が上下、棚板の縁端を嵌入させる棚板嵌入溝が左右に、それぞれ設けられて棚板と側板とを連結する複数の連結部材と、を備えて成る組み立て棚。
【請求項２】
前記連結部材は前後に嵌合孔を有し、同嵌合孔に対応した嵌合片と同嵌合片の一端に前記側板及び前記棚板の前方抜け止め防止用のツバ部を有する対面材を付設させて成る請求項１記載の組み立て棚。
【発明の詳細な説明】
【技術分野】
【０００１】
本発明は、使用者が自由に組み立て可能な組み立て棚に関するものである。
【背景技術】
【０００２】
従来から、組み立てが容易で、多目的に使用可能な組み立て棚としては、特開２０００−２８７７６５号公報に記載されているものがある。図４に示すように、この棚１０１は、複数の棚板１０２ を接合させて組み立てた置き棚であって、各棚板１０２は、複数の横長板１０２ａ、１０２ｂを前後方向に並べて形成し、しかも、棚板１０２の接合部１１１は、一方の棚板１０２の横長板１０２ａ、１０２ｂに形成した切欠（図示せず）と他方の棚板１０２ａ、１０２ｂの横長板１０２ａ、１０２ｂに形成した切欠（図示せず）とを係合することとした。
【０００３】
しかしながら、上述した従来技術では、横長板１０２ａ、１０２ｂに形成した横長板１０２ａ、１０２ｂに形成した切欠と棚板１０２に形成した前記他方の横長板１０２ａ、１０２ｂに形成した切欠とを係合させて固定しているので、棚板の大きさが固定されて自由な組み立てができない。
【特許文献１】特開２０００−２８７７６５号公報
【発明の開示】
【発明が解決しようとする課題】
【０００４】
本願発明は、上記背景技術に鑑みて発明されたものであり、その課題は、棚板の大きさが固定されず、自由度の高い組み立てができる組み立て棚を提供することである。
【課題を解決するための手段】
【０００５】
上記課題を解決するために、本願発明は、複数の棚板と、同棚板と直交するよう配設される複数の側板と、前記側板の縁端を嵌入させる側板嵌入溝が上下、棚板の縁端を嵌入させる棚板嵌入溝が左右に、それぞれ設けられて棚板と側板とを連結する複数の連結部材と、を備えて成るものである。
【０００６】
また、前記連結部材は前後に嵌合孔を有し、同嵌合孔に対応した嵌合片と同嵌合片の一端に前記側板及び前記棚板の前方抜け止め防止用のツバ部を有する対面材を付設させて成るものが好ましい。
【発明の効果】
【０００７】
本願発明の組み立て棚によれば、複数の棚板と、同棚板と直交するよう配設される複数の側板と、前記側板の縁端を嵌入させる側板嵌入溝が上下、棚板の縁端を嵌入させる棚板嵌入溝が左右に、それぞれ設けられて棚板と側板とを連結する複数の連結部材で構成されているので側板及び棚板の大きさが固定されず、自由度の高い組み立てができる組み立て棚を構成することができる。
【０００８】
また、前記連結部材は前後に嵌合孔を有し、同嵌合孔に対応した嵌合片と同嵌合片の一端に前記側板及び前記棚板の前方抜け止め防止用のツバ部と設けているので、前記側板及び前記棚板が前方抜けなくなる。
【発明を実施するための最良の形態】
【０００９】
本願の一実施形態の組み立て棚１を図１から図３に基づいて説明する。図１は本実施形態に係る正面図、図２は同上の要部の拡大斜視図である。この組み立て棚１は、複数の棚板３と、棚板３と直交するよう配設される複数の側板２と、側板２の縁端を嵌入させる側板嵌入溝４１が上下、棚板の縁端を嵌入させる棚板嵌入溝４２が左右に、それぞれ設けられて棚板３と側板２とを連結する複数の連結部材４と、を備えて成るものである。
【００１０】
また、連結部材４は前後に嵌合孔４３を有し、嵌合孔４３に対応した嵌合片５１と嵌合片５１の一端に側板２及び棚板３の前方抜け止め防止用のツバ部５２を有する対面材５を付設させて成るものである。
【００１１】
連結部材４は、側板２の縁端を嵌入するための側板嵌入溝４１を上下に設け、棚板３の縁端を嵌入するための棚板嵌入溝４２を左右に設けた長尺物である。また、前面略中央に嵌合孔４３を形成されている。
【００１２】
対面材５は、嵌合孔４３に対応した嵌合片５１と、側板２及び棚板３の前方抜け止め防止のツバ部５２と、を設け、側板２及び棚板３の前方抜け止め防止すると共に、化粧材の機能を備えている。
【００１３】
次に、この組み立て棚１の組み立て手順の一例を説明する。
【００１４】
最初に、棚板３縁端を棚板嵌入溝４２に嵌入する。例えば、図２に示すように、棚板嵌入溝４２に対応しない棚板３ａを差し込む場合は、棚板３ａに対応した嵌入溝を有し、棚板嵌入溝４２に対応した保持部材６を嵌入すれば良い。
【００１５】
次に、棚板３の連結部材４に嵌入した縁端と反対側の縁端を連結部材４に差し込み、所望の大きさになるように組み立ててゆく。
【００１６】
また、図示はしないが、棚板２が連結された連結部材４に側板２縁端を側板嵌入溝４１に嵌入する。側板嵌入溝４１に対応しない側板を嵌入する場合も、同様に同側板に対応した嵌入溝を有し、側板嵌入溝４１に対応した保持部材６を嵌めこめば良い。
【００１７】
次に、側板２の連結部材４に嵌入した縁端と反対側の縁端を連結部材４に差し込み、所望の大きさになるように組み立ててゆく。
【００１８】
このような手順で複数の側板２と複数の棚板３との縁端を複数の連結部材４に嵌入してゆき、格子状に連結する。
【００１９】
最後に、図３に示すように、連結部材４の前面に対面材５をはめ込む。また、組み立てられた組み立て棚１の端部、すなわち、側板２の縁端が嵌入されていない側板嵌入溝４１及び棚板３の縁端が嵌入されていない棚板嵌入溝４２に化粧部材７をはめ込む。
【００２０】
このように構成された組み立て棚１は、複数の側板２と、複数の棚板３と、側板２の縁端を嵌入するための側板嵌入溝４１を上下に設け、棚板３の縁端を嵌入するための棚板嵌入溝４２を左右に設けた連結部材４と設けた連結部材４と組み立て棚１を構成することができる。
【００２１】
従って、側板２は上下方向に可変することができ、更に、棚板３も左右方向に可変することができ、自由度の高い組み立てができる。
【図面の簡単な説明】
【００２２】
【図１】本発明の一実施形態に係る正面図である。
【図２】同上の要部の拡大斜視図である。
【図３】同上の連結部材、対面材、化粧部材の斜視図である。
【図４】特開２０００−２８７７６５号公報に記載の置き棚の斜視図である。
【符号の説明】
【００２３】
１      組み立て棚
２      側板
３      棚板
４      連結部材
４１    側板嵌入溝
４２    棚板嵌入溝
４３    嵌合孔
５      対面材
５１    嵌合片
５２    ツバ部
【図１】
2006115923.tif 000003
【図２】
2006115923.tif 000004
【図３】
2006115923.tif 000005
【図４】
2006115923.tif 000006